(57)【要約】      （修正有）【課題】シートの隣接部における遮熱・断熱性能が向上するとともに、施工性が向上されてなる遮熱断熱シートおよびそれを用いた屋根構造を提供する。【解決手段】断熱性能を有する発泡体シートと、発泡体シートを挟んでいる保護被膜が形成された遮熱シートとを含むシート本体部１を有する遮熱断熱シートであって、遮熱断熱シートは、一側端に重ね代部２を備える。また、屋根構造は、野地板と、防水シートと、鋼板屋根材とを備え、防水シートと鋼板屋根材との間に遮熱断熱シートおよび角波型鋼板が配設され、遮熱断熱シートは、断熱性能を有する発泡体シートと、発泡体シートを挟んでいる遮熱シートとを含むシート本体部を有し、かつ、一側端に重ね代部を備える。【選択図】図１
0003214900.tif 000002
【実用新案登録請求の範囲】
【請求項１】
断熱性能を有する発泡体シートと、当該発泡体シートを挟んでいる遮熱シートとを含むシート本体部を有する遮熱断熱シートであって、
前記遮熱断熱シートは、一側端に重ね代部を備えてなる
ことを特徴する遮熱断熱シート。
【請求項２】
遮熱シートに保護被膜が形成されてなることを特徴とする請求項１記載の遮熱断熱シート。
【請求項３】
遮音性能を備えてなることを特徴とする請求項１記載の遮熱断熱シート。
【請求項４】
遮熱シートがアルミ箔からなることを特徴とする請求項１記載の遮熱断熱シート。
【請求項５】
野地板と、防水シートと、鋼板屋根材とを備える屋根構造であって、
前記防水シートと前記鋼板屋根材との間に遮熱断熱シートおよび角波型鋼板が配設され、
前記遮熱断熱シートは、断熱性能を有する発泡体シートと、当該発泡体シートを挟んでいる遮熱シートとを含むシート本体部を有し、かつ、一側端に重ね代部を備えてなる
ことを特徴とする屋根構造。
【請求項６】
遮熱シートに保護被膜が形成されてなることを特徴とする請求項５記載の屋根構造。
【請求項７】
遮熱シートが、遮音性能を備えてなることを特徴とする請求項５記載の屋根構造。
【請求項８】
遮熱シートがアルミ箔からなることを特徴とする請求項５記載の屋根構造。
【請求項９】
角波型鋼板の上下に空気層が形成されてなることを特徴とする請求項５記載の屋根構造。
【考案の詳細な説明】
【技術分野】
【０００１】
本考案は、遮熱断熱シートおよびそれを用いた屋根構造に関する。さらに詳しくは、施工が簡素化され、かつ遮熱・断熱性能が改善されてなる遮熱断熱シートおよびそれを用いた屋根構造に関する。
【背景技術】
【０００２】
従来より、鋼板屋根の断熱構造に関して種々提案がなされている。
【０００３】
しかしながら、従来の提案に係る断熱構造においては断熱材としてグラスウールボード系や発泡プラスチック系が多く使用されているので、断熱材が蓄熱材として作用し、その蓄熱された熱が輻射熱として建物内部に放出されるという熱籠り現象が生じている。
【０００４】
本考案者は、かかる従来の鋼板屋根の断熱構造における熱籠り現象を改善すべく、高機能遮熱断熱遮音シートを用いた屋根構造を既に提案している（特許文献１）。
【０００５】
しかしながら、本考案者の先の提案にかかる屋根構造においては、図５に示すように、高機能遮熱断熱遮音シート１００，１００の間の隙間を遮熱テープ１０１により塞ぐ構造としているため、シート間の接続部における遮熱・断熱性能および遮音性能が劣るとともに、隙間を遮熱テープ１０１により塞ぐという工程が必要となり、作業が煩雑となり施工性が悪いという欠点を有していることが判明した。
【先行技術文献】
【特許文献】
【０００６】
【特許文献１】実用新案登録第３２０９９７５号公報
【考案の開示】
【考案が解決しようとする課題】
【０００７】
本考案はかかる本考案者の先の提案における課題に鑑みなされたものであって、シートの隣接部における遮熱・断熱性能が向上するとともに、施工性が向上されてなる遮熱断熱シートおよびそれを用いた屋根構造を提供することを主たる目的とし、さらに遮音性能も向上されてなる屋根構造をも提供することを目的としている。
【課題を解決するための手段】
【０００８】
本考案の遮熱断熱シートは、断熱性能を有する発泡体シートと、当該発泡体シートを挟んでいる遮熱シートとを含むシート本体部を有する遮熱断熱シートであって、前記遮熱断熱シートは、一側端に重ね代部を備えてなることを特徴する。
【０００９】
本考案の遮熱断熱シートにおいては、遮熱シートに保護被膜が形成されてなるのが好ましい。
【００１０】
また、本考案の遮熱断熱シートにおいては、遮音性能を備えてなるのが好ましい。
【００１１】
また、本考案の遮熱断熱シートにおいては、遮熱シートがアルミ箔からなるのが好ましい。
【００１２】
本考案の屋根構造は、野地板と、防水シートと、鋼板屋根材とを備える屋根構造であって、前記防水シートと前記鋼板屋根材との間に遮熱断熱シートおよび角波型鋼板が配設され、前記遮熱断熱シートは、断熱性能を有する発泡体シートと、当該発泡体シートを挟んでいる遮熱シートとを含むシート本体部を有し、かつ、一側端に重ね代部を備えてなることを特徴とする。
【００１３】
また、本考案の屋根構造においては、遮熱シートに保護被膜が形成されてなるのが好ましい。
【００１４】
また、本考案の屋根構造においては、遮熱シートが、遮音性能を備えてなるのが好ましい。
【００１５】
また、本考案の屋根構造においては、遮熱シートがアルミ箔からなるのが好ましい。
【００１６】
また、本考案の屋根構造においては、角波型鋼板の上下に空気層が形成されてなるのが好ましい。
【考案の効果】
【００１７】
本考案は前記の如く構成されているので、遮熱断熱シートの隣接部における遮熱断熱性能が向上し、しかも施工性も向上するという優れた効果を奏する。
【００１８】
本考案の好ましい形態においては、遮音性能も向上するという優れた効果を奏する。
【図面の簡単な説明】
【００１９】
【図１】本考案の一実施形態に係る遮熱断熱シートの概略図である。
【図２】遮熱断熱シート本体部の分解図である。
【図３】本考案の遮熱断熱シートを用いた屋根構造の要部断面図である。
【図４】同屋根構造における遮熱断熱シートの重ね合わせ部の概略図である。
【図５】本考案者の先の提案に係る屋根構造における図３相当図である。
【考案を実施するための形態】
【００２０】
以下、添付図面を参照しながら本考案を実施形態に基づいて説明するが、本考案はかかる実施形態のみに限定されるものではない。
【００２１】
図１に、本考案の一実施形態に係る遮熱断熱シートＳを概略図で示す。なお、本実施形態の遮熱断熱シートＳは、遮音性能も有している。
【００２２】
遮熱断熱シートＳは、図１に示すように、シート本体部１とシート本体部１の一側に形成された重ね代部２とを含むものとされる。シート本体部１の幅は、例えば１０５０ｍｍとされるが、これに限定されるものではなく適宜とできる。また、重ね代部２は、例えば５０ｍｍとされるが、これに限定されるものではなく適宜とできる。なお、遮熱断熱シートＳは、ロール状とされて施工現場に搬入される。
【００２３】
シート本体部 １は、図２に示すように、高機能の断熱性能を主として発揮する発泡体シート１１と、発泡体シート１１をサンドイッチ状に挟んでいる主として遮熱機能および遮音機能を発揮する保護被膜が形成されたアルミ箔シート１２とからなる積層体１０とされ、厚みは５ｍｍ程度、より具体的には４ｍｍ−６ｍｍとされる。保護被膜は、例えばポリエチレンテレフタレート製フィルムとされる。なお、かかる遮熱断熱シートＳとしては、例えばＡＬシールドシート（株式会社一原産業  商品名  商標登録出願中）があげられる。
【００２４】
重ね代部２は、上下のアルミ箔シート１２，１２を一側方向に延伸させて形成される。
【００２５】
図３に、本実施形態の遮熱断熱シートＳを用いた屋根構造Ｒの要部を断面図で示す。
【００２６】
屋根構造Ｒは、図３に示すように、耐火野地板３１と、耐火野地板３１の上に配設された防水シート３２と、防水シート３２の上に配設された高機能の遮熱断熱シートＳと、高機能の遮熱断熱シートＳの上に配設された角波型鋼板３３と、角波型鋼板３３の上に配設された立平タイプの折板３４とを主要構成要素として備えてなるものとされる。図３中、符号４１および符号４２は空気を示す。つまり、角波型鋼板３３の上下には空気層が形成されて遮熱性能の向上が図られている。
【００２７】
なお、作図および説明の便宜上、耐火野地板３１と防水シート３２と間に隙間が設けられ、防水シート３２と遮熱断熱シートＳとの間に隙間が設けられ、遮熱断熱シートＳと角波型鋼板３３と間に隙間が設けられ、角波型鋼板３３と折板３４との間に隙間が設けられているが、実際には耐火野地板３１と防水シート３２とは当接し、防水シート３２と遮熱断熱シートＳとは当接し、遮熱断熱シートＳと角波型鋼板３３とは当接し、角波型鋼板３３と折板３４とは当接している。
【００２８】
ここで、角波型鋼板３３は、例えば株式会社三邦の角波７３８とすることができるが、これに限定されるものではなく適宜とできる。
【００２９】
図４に、遮熱断熱シートＳの重ね合わせ部Ｊを概略図で示す。なお、理解の便宜上、右側遮熱断熱シートＳＲと左側遮熱断熱シートＳＬとの重ね合わせ部Ｊには隙間が設けられているが、実際には右側遮熱断熱シートＳＲと左側遮熱断熱シートＳＬとは密着している。
【００３０】
重ね合わせ部Ｊは、図４に示すように、左側遮熱断熱シートＳＬの左側端は右側遮熱断熱シートＳＲの重ね代部２の上に載置されているので、つまり、左側遮熱断熱シートＳＬは先に敷かれている右側遮熱断熱シートＳＲの重ね代部２に左側遮熱断熱シートＳＬの左側端部が載置されるだけで施工が完了するので、施工性が向上する。また、左側遮熱断熱シートＳＬは先に敷かれている右側遮熱断熱シートＳＲの重ね代部２に載置されているので、遮熱断熱シートＳの隣接部における遮熱・断熱性能および遮音性能が本考案者の先の構造に比して改善される。
【００３１】
以上、本考案を実施形態に基づいて説明してきたが、本考案はかかる実施形態のみに限定されるものではなく、種々改変が可能である。
【００３２】
例えば、本実施形態では、重ね代部２は一側に設けられているが、前端にも設けられてもよい。
【００３３】
また、本実施形態では、遮熱断熱シートＳは角波型鋼板３３の下に配設されているが、遮熱断熱シートＳは角波型鋼板３３の上に配設されてもよい。
【産業上の利用可能性】
【００３４】
本考案は建築産業に適用できる。
【符号の説明】
【００３５】
Ｓ      遮熱断熱シート
ＳＲ    右側遮熱断熱シート
ＳＬ    左側遮熱断熱シート
Ｊ      重ね合わせ部
Ｒ      屋根構造
１      シート本体部
２      重ね代部
１０      積層体
１１      発泡体シート
１２      アルミ箔シート
３１      耐火野地板
３２      防水シート
３３      角波型鋼板
【図１】
0003214900.tif 000003
【図２】
0003214900.tif 000004
【図３】
0003214900.tif 000005
【図４】
0003214900.tif 000006
【図５】
0003214900.tif 000007